(57)【要約】【課題】溶接部の疲労き裂を防止しかつコスト増加を最小限に抑えて横リブ間隔の大スパン化が可能な鋼床版および鋼床版の製造方法を提供すること。【解決手段】横リブ３に複数の切り欠き３Ｃが形成され、これらの切り欠き３Ｃに縦リブ４のウェブ４Ａを挿通することで、横リブ３を１枚ものの通しで製作できるとともに、縦リブ４に関しても横リブ３との交差部で切断されずに、縦リブ４のウェブ４Ａを通しで製作することができる。そして、縦リブ４のフランジ４Ｂを切り欠いた切欠部４Ｃから横リブ３の切り欠き３Ｃを挿通し、横リブ３および縦リブ４の互いのウェブ３Ａ，４Ａ同士を溶接して一体化することで、製作に要する工数や溶接箇所数、溶接長さを削減することができ、製造コストの低減を図ることができる。【選択図】図２
2008280753.tif 000002
【特許請求の範囲】
【請求項１】
主桁に支持される複数の横リブと、この横リブに交差して支持される複数の縦リブと、これらの横リブおよび縦リブの上側に溶接固定されるデッキプレートとを備えた鋼床版であって、
前記横リブは、上下に延びるウェブを少なくとも有し、このウェブには、上方に開口して下方に延びる複数の切り欠きが形成され、
前記縦リブは、上下に延びるウェブと、このウェブの下端部に連続するフランジとから略逆Ｔ字形または略Ｌ字形の断面を有し、前記横リブの切り欠きに対応した位置の前記フランジが切り欠かれて形成され、
前記横リブの切り欠きに前記縦リブのウェブが挿通された状態で、当該横リブおよび縦リブのウェブ同士が前記切り欠きに沿って溶接接合されていることを特徴とする鋼床版。
【請求項２】
請求項１に記載の鋼床版において、
前記横リブ同士の間隔が３ｍ以上かつ８ｍ以下の範囲に設定されていることを特徴とする鋼床版。
【請求項３】
請求項１または請求項２に記載の鋼床版において、
前記横リブの切り欠きの幅寸法が前記縦リブのフランジの幅寸法よりも小さく設定されていることを特徴とする鋼床版。
【請求項４】
請求項１から請求項３のいずれかに記載の鋼床版において、
前記横リブの切り欠きの下端部には、前記縦リブのフランジよりも大きな幅寸法を有した幅広のスカラップが形成され、
前記切り欠かれた縦リブのフランジ同士が前記スカラップに挿通された添え板を介して連結されていることを特徴とする鋼床版。
【請求項５】
請求項１から請求項４のいずれかに記載の鋼床版において、
前記横リブのウェブと前記縦リブのフランジとが添え板を介して接合されていることを特徴とする鋼床版。
【請求項６】
主桁に支持される複数の横リブと、この横リブに交差して支持される複数の縦リブと、これらの横リブおよび縦リブの上側に溶接固定されるデッキプレートとを備えた鋼床版の製造方法であって、
前記横リブは、上下に延びるウェブを少なくとも有し、前記縦リブは、上下に延びるウェブと、このウェブの下端部に連続するフランジとから略逆Ｔ字形または略Ｌ字形の断面を有してそれぞれ形成されたものであり、
前記横リブのウェブに上方に開口して下方に延びる複数の切り欠きを形成し、前記横リブの切り欠きに対応した位置の前記縦リブのフランジを切り欠いてから、前記横リブの切り欠きに前記縦リブのウェブを挿通し、当該横リブおよび縦リブのウェブ同士を前記切り欠きに沿って溶接接合することを特徴とする鋼床版の製造方法。
【請求項７】
請求項６に記載の鋼床版の製造方法において、
前記横リブの切り欠きを形成する際に、その切り欠きの下端部に前記縦リブのフランジよりも大きな幅寸法を有した幅広のスカラップを形成しておき、
前記横リブの切り欠きに前記縦リブのウェブを挿通してから、前記切り欠かれた縦リブのフランジ同士を前記スカラップに挿通した添え板を介して連結することを特徴とする鋼床版の製造方法。
【請求項８】
請求項６または請求項７に記載の鋼床版の製造方法において、
前記横リブの切り欠きに前記縦リブのウェブを挿通してから、前記横リブのウェブと前記縦リブのフランジとを添え板を介して接合することを特徴とする鋼床版の製造方法。
【発明の詳細な説明】
【技術分野】
【０００１】
本発明は、鋼床版および鋼床版の製造方法に関し、詳しくは、主桁に支持される複数の横リブと、この横リブに交差して支持される複数の縦リブと、これらの横リブおよび縦リブの上側に溶接固定されるデッキプレートとを備え、道路橋等における路盤支持構造として用いられる鋼床版、およびその製造方法に関する。
【背景技術】
【０００２】
従来、道路橋等に用いられる鋼床版の構造として、横リブ（横桁）に切り欠きを設けるとともに、この切り欠きに縦リブを挿通して横リブと縦リブとを交差させ、この交差部において切り欠きに沿って横リブと縦リブとを溶接接合するとともに、横リブと縦リブの上側にデッキプレートを溶接固定したものが一般的である（非特許文献１の第５章参照）。
このような鋼床版に用いられる縦リブとしては、断面Ｕ字形のＵリブや、上下に延びる平板状の平板リブ、上下に延びる板状の下端部に拡大部を有した断面形状のバルブプレートリブ（バルブリブ）などがあり、これらの縦リブの断面形状に応じて横リブの切り欠き形状および溶接位置が規定されている。すなわち、縦リブがＵリブの場合には、Ｕリブの左右側面に沿った一対の側端縁およびＵリブの下面に沿った下端縁がスカラップで連続した切り欠き形状とされ、この切り欠きの一対の側端縁部分とＵリブの左右側面とが片面隅肉溶接で接合されるようになっている。一方、平板リブやバルブリブの場合には、上下に延びて下端部にスカラップを有し縦溝状で、かつ平板リブの平板部やバルブリブの拡大部が挿通可能な幅寸法を有した切り欠き形状とされ、この切り欠きの一方の側端縁部分と平板リブやバルブリブの平板部側面とが片面隅肉溶接で接合されるようになっている。なお、非特許文献１においては、対象とする横リブ間隔（スパン）が２．５ｍ以下とされており、スパンが３ｍを超えるものは対象範囲外になっている。
【０００３】
一方、鋼床版の構造として、縦リブに逆Ｔ字形断面を有したＣＴ形鋼を用いたものが提案されている（特許文献１参照）。
特許文献１に記載された鋼床版では、主桁に架設した横リブとしてのＨ形鋼の上面に縦リブとしてのＣＴ形鋼を載置して支持させ、このＣＴ形鋼のウェブ上端縁とデッキプレート（１６mm以上の厚さ寸法を有した鋼板）とが両面隅肉溶接で接合されるようになっている。この鋼床版の構造は、道路橋等などの架け替えの際の施工の容易さや工期短縮を図るために考案されたもので、Ｈ形鋼（横リブ）にＣＴ形鋼（縦リブ）を載置することから、鋼床版全体の高さ寸法が大きくなってしまうという欠点を有している。逆に、鋼床版全体の高さ寸法を所定寸法以下に抑えるためには、横リブや縦リブの部材高さ寸法が小さくなり、部材強度の限界によって横リブ間隔が広くできないという不都合も生じる。そこで、横リブにも逆Ｔ字形断面を有したＣＴ形鋼を用い、このＣＴ形鋼のウェブに縦リブを溶接接合する構造が考えられ、この場合には、隣接する横リブの間隔寸法（スパン）に応じた長さ寸法の縦リブを用意し、一対の横リブのウェブ側面に縦リブの長手方向両端部を溶接接合することとなる。
【０００４】
ところで、道路橋等の路盤上（デッキプレート上）を車両が通行した際において、横リブに対する荷重位置（前輪および後輪の位置）の関係によって、横リブと縦リブとの接合部に発生する応力についての研究がなされている（非特許文献２のFig.26、Fig.27等参照）。この文献によれば、横リブと縦リブとの接合部に発生する応力は、荷重位置が横リブから離れるほど大きくなり、横リブ間の中央近傍で最大になるという知見が開示されている。ただし、非特許文献２に記載された研究データは、隣接する横リブ間隔（スパン）が２．７５ｍのものであり、スパンが３ｍを超える場合のデータは開示されていない。
また、鋼床版に作用する車輪からの動荷重によってデッキプレート、縦リブ、横リブ等の溶接接合部に発生する疲労き裂についても、既存道路橋の調査を実施した報告がなされている（非特許文献３の図１および表２参照）。この文献によれば、縦リブとデッキプレートとの溶接部や、縦リブ同士の突き合わせ溶接部、縦リブと横リブとの交差部などに疲労き裂の発生が見られ、特に、縦リブ（Ｕリブ、バルブリブ）と横リブとの交差部における疲労き裂が多数見られることが開示されている。
【０００５】
【特許文献１】特開平１１−５０４１６号公報
【非特許文献１】鋼道路橋の疲労設計指針（社団法人日本道路協会）平成１４年３月発行
【非特許文献２】INTERNATIONAL INSTITUTE OF WELDING XIII-1973-03、「Identification of thecause of fatigue damage in an orthotropic steel bridge deck structure with box girder 」（S.Suganuma and others.）
【非特許文献３】土木学会第６１回年次学術講演会（平成１８年９月）、1067〜1068頁、「阪神高速道路における鋼床版の疲労損傷状況報告」（高田、他）
【発明の開示】
【発明が解決しようとする課題】
【０００６】
前記非特許文献２に記載されているように（同文献のFig.22等参照）、道路橋における鋼床版のデッキプレート上を車両が走行すると、デッキプレートに作用する動荷重により、デッキプレート、縦リブ（Ｕリブ）、横リブの変形が繰り返される。このような繰り返しの変形を受けると、デッキプレートと縦リブや横リブとの溶接部、縦リブと横リブとの溶接部に疲労き裂が発生する可能性が高い。そして、縦リブがＵリブから構成されている場合には、このＵリブの外側からしかデッキプレートに溶接できないことから、ルート側の疲労強度が低くなってしまう。
また、前記非特許文献２によれば、荷重位置が横リブ間の中央近傍の場合に横リブと縦リブとの接合部に発生する応力が最大になることから、横リブ間隔が広くなるほど、横リブと縦リブとの接合部での発生応力が増大し、接合部位置での溶接部に疲労き裂が発生する可能性が一層高くなってしまう。
このような横リブと縦リブとの接合部における発生応力を低減させる方法としては、縦リブや横リブの部材高さ寸法を大きくすることが考えられるものの、従来の縦リブとして用いられるＵリブや平板リブ、バルブリブは、その板厚や部材高さ寸法の製造サイズが限られ、特に平板リブでは座屈防止のために自由端の突出長が制限されるために高さ寸法が大きくできない。従って、非特許文献１で規定された２．５ｍを超えて横リブ間隔を拡大することが困難である。
【０００７】
一方、前記特許文献１の鋼床版に基づいて、横リブの側面（ウェブ）に縦リブの長手方向両端部を溶接接合する構造を採用したとすると、以下のような問題が生じる。
すなわち、横リブの間隔寸法であるスパンごとに縦リブが切断され、この縦リブ全ての両端部を横リブの側面に溶接することとなるため、溶接箇所数が膨大になるとともに、部材数も多数になることから、部材数量および加工手間が増加して製造コストが大幅に増大してしまう。さらに、縦リブの両端部を横リブの側面に突き合わせた状態でこれらを溶接することから、この溶接部の溶接精度を確保することが困難になり、疲労強度の低下を招く原因になりやすい。そして、このような溶接部の箇所数が膨大であるために、溶接欠陥が発生する可能性も高まり、この点からも溶接部に疲労き裂が発生しやすくなってしまう。
【０００８】
本発明の目的は、溶接部の疲労き裂を防止しかつコスト増加を最小限に抑えて横リブ間隔の大スパン化が可能な鋼床版および鋼床版の製造方法を提供することにある。
【課題を解決するための手段】
【０００９】
本発明の請求項１に記載の鋼床版は、主桁に支持される複数の横リブと、この横リブに交差して支持される複数の縦リブと、これらの横リブおよび縦リブの上側に溶接固定されるデッキプレートとを備えた鋼床版であって、前記横リブは、上下に延びるウェブを少なくとも有し、このウェブには、上方に開口して下方に延びる複数の切り欠きが形成され、前記縦リブは、上下に延びるウェブと、このウェブの下端部に連続するフランジとから略逆Ｔ字形または略Ｌ字形の断面を有し、前記横リブの切り欠きに対応した位置の前記フランジが切り欠かれて形成され、前記横リブの切り欠きに前記縦リブのウェブが挿通された状態で、当該横リブおよび縦リブのウェブ同士が前記切り欠きに沿って溶接接合されていることを特徴とする。
【００１０】
以上の本発明によれば、横リブに複数の切り欠きを形成し、これらの切り欠きに縦リブを挿通することで、横リブを１枚ものの通しで製作できるとともに、縦リブに関しても横リブとの交差部で切断されずに、縦リブのウェブを通しで製作することができる。そして、フランジを切り欠いた縦リブを横リブの切り欠きに挿通して互いに交差させ、この交差部において互いのウェブ同士を溶接することで一体に接合でき、製作に要する工数や溶接箇所数（溶接長さ）を削減することができるとともに、部材数量の増加を抑制することができる。
また、縦リブのフランジを切り欠いたことで、横リブに設ける切り欠きの幅寸法を縦リブのフランジ幅とは無関係に設定することができる。従って、横リブの切り欠きの幅寸法を縦リブのウェブを挿通させるのに必要な最小限の寸法に設定することで、横リブとデッキプレートとの溶接部における発生応力を低減することができる。さらに、縦リブのウェブ上端縁とデッキプレートとを両面隅肉溶接で接合することで、縦リブとデッキプレートとの溶接部における疲労損傷も防止できる。
また、縦リブとして略逆Ｔ字形または略Ｌ字形の断面を有した鋼材を用いたことで、従来のＵリブや平板リブ、バルブリブ等のような部材高さ寸法の制約がなくなり、縦リブの高さ寸法を適宜設定することで、横リブとの溶接接合長さを確保することができ、縦リブと横リブとの溶接部における疲労損傷も防止できる。さらに、縦リブの高さ寸法を大きくすることで横リブ同士の間隔寸法を長くすることができ、このような横リブ間隔の大スパン化によって、部材数を削減することができるとともに、溶接箇所の削減により疲労き裂の発生可能性を低減させることができる。
【００１１】
この際、本発明の鋼床版では、前記横リブ同士の間隔が３ｍ以上かつ８ｍ以下の範囲に設定されていることが好ましい。
ここで、横リブ同士の間隔（横リブのスパン）を８ｍ以下に設定したのは、大型車両の前後輪間隔が８ｍ程度であることから、横リブの１スパン内に前後輪の両方が位置しないようにするためであり、このような条件下であれば、横リブや縦リブ、デッキプレート、これらの溶接接合部に発生する応力は、前記非特許文献２等で報告されたものから大きく乖離することがなく、前述した本発明の作用効果を得ることができる。
さらに、本発明の鋼床版では、前記横リブの切り欠きの幅寸法が前記縦リブのフランジの幅寸法よりも小さく設定されていることが好ましい。
また、本発明の鋼床版では、前記横リブの切り欠きの下端部には、前記縦リブのフランジよりも大きな幅寸法を有した幅広のスカラップが形成され、前記切り欠かれた縦リブのフランジ同士が前記スカラップに挿通された添え板を介して連結されていてもよい。
さらに、本発明の鋼床版では、前記横リブのウェブと前記縦リブのフランジとが添え板を介して接合されていてもよい。
このように添え板を介して縦リブのフランジ同士あるいは横リブのウェブと縦リブのフランジとを連結すれば、縦リブや横リブに発生する応力が添え板により分散されて、前記各溶接部の疲労寿命を向上させることができる。ここで、縦リブや横リブと添え板との接合は、溶接によるものでもよく、またボルト−ナット接合によるものでもよい。
【００１２】
一方、本発明の請求項６に記載の鋼床版の製造方法は、主桁に支持される複数の横リブと、この横リブに交差して支持される複数の縦リブと、これらの横リブおよび縦リブの上側に溶接固定されるデッキプレートとを備えた鋼床版の製造方法であって、前記横リブは、上下に延びるウェブを少なくとも有し、前記縦リブは、上下に延びるウェブと、このウェブの下端部に連続するフランジとから略逆Ｔ字形または略Ｌ字形の断面を有してそれぞれ形成されたものであり、前記横リブのウェブに上方に開口して下方に延びる複数の切り欠きを形成し、前記横リブの切り欠きに対応した位置の前記縦リブのフランジを切り欠いてから、前記横リブの切り欠きに前記縦リブのウェブを挿通し、当該横リブおよび縦リブのウェブ同士を前記切り欠きに沿って溶接接合することを特徴とする。
このような構成によれば、前述と同様に、横リブと縦リブとの組み立てに要する工数や溶接箇所数（溶接長さ）を削減することができるとともに、縦リブと横リブとの溶接部や、縦リブおよび横リブとデッキプレートとの溶接部における疲労損傷を防止することができる。
【００１３】
この際、本発明の鋼床版の製造方法では、前記横リブの切り欠きを形成する際に、その切り欠きの下端部に前記縦リブのフランジよりも大きな幅寸法を有した幅広のスカラップを形成しておき、前記横リブの切り欠きに前記縦リブのウェブを挿通してから、前記切り欠かれた縦リブのフランジ同士を前記スカラップに挿通した添え板を介して連結することが好ましい。
さらに、本発明の鋼床版の製造方法では、前記横リブの切り欠きに前記縦リブのウェブを挿通してから、前記横リブのウェブと前記縦リブのフランジとを添え板を介して接合してもよい。
このような構成によれば、縦リブと横リブとの溶接部や、縦リブおよび横リブとデッキプレートとの溶接部等に発生する応力を添え板により分散させることができ、各溶接部の疲労寿命を向上させることができる。
【発明の効果】
【００１４】
以上のような本発明の鋼床版および鋼床版の製造方法によれば、横リブおよび縦リブとデッキプレートとの溶接部や縦リブと横リブとの溶接部における疲労き裂を防止して疲労寿命を向上させることができるとともに、縦リブの部材高さ寸法を大きく設定することによって横リブ間隔の大スパン化することができ、部材数量や製造工数の削減を図ってコスト増加を抑えることができる。
【発明を実施するための最良の形態】
【００１５】
以下、本発明の実施形態を図面に基づいて説明する。
図１は、本発明の実施形態に係る鋼床版１を用いた道路橋の一部を示す斜視図である。  図１において、道路橋は、図示しない基礎や支柱からなる下部工と、支柱間に渡って架設される鋼製の主桁２と、一対の主桁２間に支持される中間部の鋼床版１および主桁２の両側方に支持される片持ち状の鋼床版１とを有して構成されている。そして、鋼床版１は、主桁２に支持される複数の横リブ３と、この横リブ３に交差して支持される複数の縦リブ４と、これらの横リブ３および縦リブ４の上側に溶接固定されるデッキプレート５とを備えて構成されている。
【００１６】
図２は、鋼床版１における横リブ３および縦リブ４の組立前の状態を示す斜視図である。図３は、横リブ３および縦リブ４を一体化した状態を示す斜視図である。図４は、鋼床版１を縦リブ４側方から見た断面図である。
図２および図３において、鋼床版１の横リブ３は、上下に延びるウェブ３Ａと、このウェブ３Ａの下端部に一体化されたフランジ３Ｂとを有した略逆Ｔ字形に形成されており、横リブ３のウェブ３Ａには、上方に開口して下方に延びる複数の切り欠き３Ｃが形成されている。また、縦リブ４は、上下に延びるウェブ４Ａと、このウェブ４Ａの下端部に連続するフランジ４Ｂとから略逆Ｔ字形（または略Ｌ字形）の断面を有して形成されている。この縦リブ４のフランジ４Ｂは、横リブ３の切り欠き３Ｃに対応した位置おいて切り欠かれ、この切り欠かれた切欠部４Ｃを挟んで左右に分割されている。
【００１７】
そして、縦リブ４は、その切欠部４Ｃの位置からウェブ４Ａが横リブ３の切り欠き３Ｃに挿通され、この挿通された状態で横リブ３および縦リブ４のウェブ３Ａ，４Ａ同士が切り欠き３Ｃに沿って片面隅肉溶接され（溶接部Ｗ１）、この溶接接合により横リブ３と縦リブ４とが一体化されている。さらに、図４に示すように、横リブ３および縦リブ４のウェブ３Ａ，４Ａ上端縁と、デッキプレート５の下面とが両面隅肉溶接され（溶接部Ｗ２，Ｗ３）、この溶接接合により横リブ３および縦リブ４とデッキプレート５とが一体化されている。
【００１８】
横リブ３の切り欠き３Ｃは、縦リブ４のウェブ４Ａの板厚よりも所定寸法（例えば、１５〜３５mm）だけ大きく、かつ縦リブ４のフランジ４Ｂの幅寸法よりも十分に小さな幅寸法を有した溝状に形成されている。そして、切り欠き３Ｃの下端部には、スカラップ３Ｄが形成されている。また、縦リブ４と横リブ３とは、縦リブ４のウェブ４Ａの一方の側面が切り欠き３Ｃの一方の端縁に近接し、ウェブ４Ａの他方の側面が切り欠き３Ｃの他方の端縁から前記所定寸法と略同一距離だけ離れた状態で、縦リブ４のウェブ４Ａにおける一方の側面と横リブ３のウェブ３Ａとが切り欠き３Ｃの一方の端縁に沿って溶接接合されている。
【００１９】
このような鋼床版１の組立手順としては、先ず、図２に示すように、横リブ３のウェブ３Ａに複数の切り欠き３Ｃを形成しておくとともに、縦リブ４のフランジ４Ｂを切り欠かいて切欠部４Ｃを形成しておく。次に、フランジ４Ｂを上にした複数の縦リブ４を、図示しない多電極溶接装置に設置したデッキプレート５上に位置決めし、多電極溶接装置の複数の溶接電極（トーチ）を用いて縦リブ４の４Ａの上端縁とデッキプレート５とを両面隅肉溶接して接合する（溶接部Ｗ３）。次に、これらの縦リブ４上方から切り欠き３Ｃを下に向けた横リブ３を吊り込み、切り欠き３Ｃを縦リブ４の切欠部４Ｃから挿通する。この際、切り欠き３Ｃの幅寸法が前記所定寸法だけ縦リブ４のウェブ４Ａの板厚よりも大きく設定されていることで、横リブ３の切り欠き３Ｃと縦リブ４のウェブ４Ａとの干渉が回避でき、スムーズに横リブ３をセットできるようになっている。以上のように縦リブ４および横リブ３を位置決めした状態で、多電極溶接装置を用いて横リブ３のウェブ３Ａ上端縁とデッキプレート５とを両面隅肉溶接接合してから（溶接部Ｗ２）、図３に示すように、溶接部Ｗ１を溶接して横リブ３と縦リブ４とを接合する。
【００２０】
以上の鋼床版１によれば、横リブ３に複数の切り欠き３Ｃが形成され、これらの切り欠き３Ｃに縦リブ４のウェブ４Ａを挿通することで、横リブ３を１枚ものの通しで製作できるとともに、縦リブ４に関しても横リブ３との交差部で切断されずに、縦リブ４のウェブ４Ａを通しで製作することができる。そして、縦リブ４のフランジ４Ｂを切り欠いた切欠部４Ｃから横リブ３の切り欠き３Ｃを挿通し、横リブ３および縦リブ４の互いのウェブ３Ａ，４Ａ同士を溶接して一体化することで、製作に要する工数や溶接箇所数（溶接長さ）を削減することができる。
【００２１】
また、縦リブ４のフランジ３Ｂが切り欠かれているので、横リブ３の切り欠き３Ｃの幅寸法を、縦リブ４のウェブ４Ａを挿通させつつ、設置の際のクリアランスを確保した最小限の寸法に設定することができる。従って、横リブ３のウェブ３Ａ上端縁とデッキプレート５との溶接されない部分の幅を最小限にして溶接長さが確保でき、横リブ３とデッキプレート５との溶接部における疲労損傷が防止できる。さらに、横リブ３および縦リブ４のウェブ３Ａ，４Ａ上端縁とデッキプレート５とを両面隅肉溶接で接合することで、この溶接部Ｗ２，Ｗ３における疲労損傷も防止できる。
【００２２】
また、縦リブ４として略逆Ｔ字形や略Ｌ字形の断面を有した鋼材を用いたことで、従来のＵリブや平板リブ、バルブリブ等のような部材高さ寸法の制約がなくなり、縦リブ４を大きな高さ寸法に設定することで、溶接部Ｗ１の長さ寸法を十分に確保して疲労損傷を防止することができるとともに、横リブ３同士の間隔寸法（スパン）を長くすることができる。このような横リブ３，３間隔の大スパン化によって、部材数を削減することができるとともに、溶接箇所の削減により疲労き裂の発生可能性を低減させることができる。
【００２３】
なお、本実施形態における鋼床版１は、以上の形態に限らず、以下の図５〜図９に示すような各種の形態が適用可能である。
図５〜図９は、それぞれ本実施形態における鋼床版１の変形例を示す断面図である。
図５において、縦リブ４の切欠部４Ｃを挟んで分割されたフランジ４Ｂ，４Ｂ同士は、添え板６Ａによって連結されている。この添え板６Ａは、フランジ４Ｂと略同一の幅寸法を有した板材であり、横リブ３のスカラップ３Ｄに挿通されて横リブ３のウェブ３Ａの左右両側に跨って配置されている。この場合、横リブ３のスカラップ３Ｄは、添え板６Ａを挿通可能な幅寸法、つまり縦リブ４のフランジ４Ｂよりも大きな幅寸法を有した幅広に形成されている。そして、添え板６Ａの両端部と各フランジ４Ｂ，４Ｂとは、溶接接合によって連結されている。
【００２４】
図６において、縦リブ４の切欠部４Ｃを挟んで分割されたフランジ４Ｂ，４Ｂ同士は、一対の添え板６Ｂ，６Ｂと、ボルト７Ａ、ナット７Ｂによって連結されている。これらの添え板６Ｂ，６Ｂは、フランジ４Ｂを上下から挟んで配置される板材であり、横リブ３のスカラップ３Ｄに挿通されて横リブ３のウェブ３Ａの左右両側に跨って配置されている。この場合にも、横リブ３のスカラップ３Ｄは、添え板６Ｂ，６Ｂを挿通可能な幅寸法を有した幅広に形成されている。そして、添え板６Ｂ，６Ｂの両端部と各フランジ４Ｂ，４Ｂとは、ボルト７Ａおよびナット７Ｂを緊結することで連結されている。
【００２５】
図７において、縦リブ４の切欠部４Ｃを挟んで分割された各フランジ４Ｂ，４Ｂと横リブ３のウェブ３Ａとは、一対の添え板６Ｃによって連結されている。この添え板６Ｃは、フランジ４Ｂと略同一の幅寸法を有して全体Ｌ字形に形成された鋼材であり、縦リブ４のフランジ４Ｂ下面と横リブ３のウェブ３Ａ側面とに当接して配置されている。そして、フランジ４Ｂおよびウェブ３Ａの各々に添え板６Ｃを溶接接合することで、これらのフランジ４Ｂとウェブ３Ａとが連結されている。この場合には、図５、図６のように、横リブ３のスカラップ３Ｄを幅広に形成する必要はない。
また、図８において、縦リブ４のフランジ４Ｂと横リブ３のウェブ３Ａとは、図７と同様の添え板６Ｃとボルト７Ａ、ナット７Ｂとによって連結されている。
【００２６】
図９において、分割された縦リブ４のフランジ４Ｂ，４Ｂ同士は、図５と同様の添え板６Ａによって連結されるとともに、縦リブ４のフランジ４Ｂと横リブ３のウェブ３Ａとは、図７と同様の添え板６Ｃによって連結されている。この場合には、図５、図６と同様に、横リブ３のスカラップ３Ｄは、添え板６Ａを挿通可能な幅寸法を有した幅広に形成されている。
以上の図５〜図９に示したように、添え板６Ａ，６Ｂを用いて縦リブ４のフランジ４Ｂ，４Ｂ同士を連結したり、添え板６Ｃを用いて縦リブ４のフランジ４Ｂと横リブ３のウェブ３Ａとを連結することで、横リブ３および縦リブ４のウェブ３Ａ，４Ａ同士の溶接部Ｗ１に発生する応力を分散させることができ、溶接部Ｗ１の疲労寿命を向上させることができる。
【００２７】
以上の鋼床版１において、各部寸法や設計仕様としては、以下のように設定されることが望ましい。
すなわち、デッキプレート５としては、板厚寸法Ｔが１６〜１９mmの範囲に設定され、縦リブ４としては、高さ寸法Ｈが３５０〜７００mmの範囲に設定され、かつフランジ４Ｂの幅寸法が２００mm程度に設定されていることが好ましい。また、縦リブ４同士の間隔寸法Ｌ１が４００〜５００mmの範囲に設定され、横リブ３同士の間隔寸法（横リブスパン）Ｌ２が３０００〜８０００mm（３ｍ以上かつ８ｍ以下）の範囲に設定されていることが好ましい。ここで、例えば、デッキプレート５、横リブ３および縦リブ４の板厚寸法Ｔを１８mmに設定し、縦リブ４の高さ寸法Ｈを５００mmに設定し、縦リブ４同士の間隔寸法Ｌ１を４５０mmに設定し、横リブ３同士の間隔寸法（横リブスパン）Ｌ２を４０００mmに設定した場合でも、横リブ３と縦リブ４との交差部つまり溶接部Ｗ１位置に過大な応力が発生しないようになっている。すなわち、溶接部Ｗ１位置の発生応力が４kgf/mm2（４０ＭＰａ）程度以下となるように、上述の各部寸法が設定されることが好ましい。
【００２８】
また、縦リブ４の高さ寸法Ｈおよび縦リブ４同士の間隔寸法Ｌ１としては、縦リブ４の間隔部分に多電極溶接機のトーチが入るように設定されることが好ましく、例えば、縦リブ４の高さ寸法Ｈを５８０mm以下、かつ間隔寸法Ｌ１を４５０mm程度に設定しておけば、溶接作業を自動で実施する上で問題が生じない。さらに、縦リブ４同士の間隔寸法Ｌ１としては、縦リブ４同士の間隔部分上方に車両の車輪が入り込まないように、つまり車輪がいずれかの縦リブ４上に位置するように設定することが好ましく、車輪としてＷタイヤを対象とした場合に、縦リブ４同士の間隔寸法Ｌ１を５００mm以下に設定しておけば、デッキプレート５における過大な応力の発生が防止できる。また、横リブ３同士の間隔寸法（横リブスパン）Ｌ２としては、大型車両の前後輪が同一スパン内に入り込まないように設定することが好ましく、一般的な大型車両の前後輪間隔を対象とした場合に、横リブ３同士の間隔寸法Ｌ２を８０００mm以下に設定しておけば、デッキプレート５や縦リブ４、横リブ３、およびこれらの接合位置における過大な応力の発生が防止できる。
【００２９】
以上のように、本発明では、構造を工夫することによって発生応力を低減している。しかしながら、製作や溶接の不具合、設計ミスなどにより、構造が狙ったものにならずに、疲労が完全には防止できない場合も生じる可能性もありうる。そのようなときに、溶接部に対してグラインダー処理やピーニングを施すことは、疲労の防止に極めて有効である。
特に、近年、使用されるようになってきた超音波を駆動源としたピーニングは、使用性に優れ、また、打撃密度が従来のピーニングなどに比較して極めて大きいために、処理部位の均一性が著しく高く、確実に溶接止端部からの疲労き裂の発生防止に有効である。中でも超音波の周波数帯が２０〜６０kHzで、ウエーブガイドの先端での振幅が２０μm以上、ピン径が１〜６mm程度のものが、処理効率及び効果が共に高いために好適である。
そして、従来のＵリブ鋼床版構造では、Ｕリブが閉断面となっていたために、Ｕリブとデッキプレートの溶接部は処理が出来なかった。これに対して、本発明の構造は開断面リブを用いており、しかも、従来のＵリブ構造よりも縦リブ間隔も横リブ間隔も広がっているために、ピーニングやグラインダーを施す上でも有利であり、基本的に処理のできない部位はない。
【実施例】
【００３０】
以下に、前記実施形態で説明した鋼床版１の設計モデル（ＦＥＭ）による応力解析を実施し、溶接部Ｗ１における疲労性能を検討した例（第１〜第５実施例、第１比較例および第１参考例）について説明する。
鋼床版１の設計モデルは、図１０〜図１２に示すように、前記実施形態の鋼床版１をモデル化した鋼床版Ｍ１は、主桁２をモデル化した主桁Ｍ２と、横リブ３をモデル化した横リブＭ３と、縦リブ４をモデル化したＭ４と、デッキプレート５をモデル化したＭ５とを有して構成されたものである。そして、図１０〜図１２において、縦リブＭ４同士の間隔寸法がＬ１、横リブＭ３同士の間隔寸法（横リブスパン）がＬ２、縦リブＭ４の高さ寸法がＨで示されている。
【００３１】
〔第１実施例〕
第１実施例の設計モデルは、図１１に示す鋼床版Ｍ１であって、デッキプレートＭ５、横リブＭ３および縦リブＭ４の板厚寸法Ｔを１８mmに設定し、縦リブＭ４の高さ寸法Ｈを３４０mmに設定し、縦リブＭ４同士の間隔寸法Ｌ１を４５０mmに設定し、横リブＭ３同士の間隔寸法Ｌ２を３０００mmに設定したものである。そして、第１実施例の設計モデルでは、前記実施形態の図４に示すように、縦リブ４のフランジ４Ｂ，４Ｂ同士が連結されず、かつ縦リブ４のフランジ４Ｂと横リブ３のウェブ３Ａも連結されていない。
【００３２】
〔第２実施例〕
第２実施例の設計モデルは、図１０に示す鋼床版Ｍ１であって、デッキプレートＭ５、横リブＭ３および縦リブＭ４の板厚寸法Ｔを１８mmに設定し、縦リブＭ４の高さ寸法Ｈを５００mmに設定し、縦リブＭ４同士の間隔寸法Ｌ１を４５０mmに設定し、横リブＭ３同士の間隔寸法Ｌ２を４０００mmに設定したものである。そして、第２実施例の設計モデルでは、前記実施形態の図４に示すように、縦リブ４のフランジ４Ｂ，４Ｂ同士が連結されず、かつ縦リブ４のフランジ４Ｂと横リブ３のウェブ３Ａも連結されていない。
【００３３】
〔第３実施例〕
第３実施例の設計モデルは、図１０に示す鋼床版Ｍ１であって、デッキプレートＭ５、横リブＭ３および縦リブＭ４の板厚寸法Ｔを１８mmに設定し、縦リブＭ４の高さ寸法Ｈを５００mmに設定し、縦リブＭ４同士の間隔寸法Ｌ１を４５０mmに設定し、横リブＭ３同士の間隔寸法Ｌ２を４０００mmに設定したものである。そして、第３実施例の設計モデルでは、前記実施形態の図５に示すように、縦リブ４のフランジ４Ｂ，４Ｂ同士が連結され、一方、縦リブ４のフランジ４Ｂと横リブ３のウェブ３Ａとが連結されていない。
【００３４】
〔第４実施例〕
第４実施例の設計モデルは、図１０に示す鋼床版Ｍ１であって、デッキプレートＭ５、横リブＭ３および縦リブＭ４の板厚寸法Ｔを１８mmに設定し、縦リブＭ４の高さ寸法Ｈを５００mmに設定し、縦リブＭ４同士の間隔寸法Ｌ１を４５０mmに設定し、横リブＭ３同士の間隔寸法Ｌ２を４０００mmに設定したものである。そして、第４実施例の設計モデルでは、前記実施形態の図７に示すように、縦リブ４のフランジ４Ｂ，４Ｂ同士が連結されず、一方、縦リブ４のフランジ４Ｂと横リブ３のウェブ３Ａとが連結さている。
【００３５】
〔第５実施例〕
第５実施例の設計モデルは、図１０に示す鋼床版Ｍ１であって、デッキプレートＭ５、横リブＭ３および縦リブＭ４の板厚寸法Ｔを１８mmに設定し、縦リブＭ４の高さ寸法Ｈを５００mmに設定し、縦リブＭ４同士の間隔寸法Ｌ１を４５０mmに設定し、横リブＭ３同士の間隔寸法Ｌ２を４０００mmに設定したものである。そして、第５実施例の設計モデルでは、前記実施形態の図９に示すように、縦リブ４のフランジ４Ｂ，４Ｂ同士が連結され、かつ縦リブ４のフランジ４Ｂと横リブ３のウェブ３Ａも連結されている。
【００３６】
〔第１比較例〕
第１比較例の設計モデルは、図示しない鋼床版であって、デッキプレートの板厚寸法を１２mmに設定し、縦リブとして横幅が３２０mmのＵリブ（Ｕ３２０）を用い、横リブ同士の間隔寸法Ｌ２を２０００mmに設定したものである。
【００３７】
〔第１参考例〕
第１参考例の設計モデルは、図１２に示す鋼床版Ｍ１であって、デッキプレートＭ５、横リブＭ３および縦リブＭ４の板厚寸法Ｔを１８mmに設定し、縦リブＭ４の高さ寸法Ｈを１９０mmに設定し、縦リブＭ４同士の間隔寸法Ｌ１を４５０mmに設定し、横リブＭ３同士の間隔寸法Ｌ２を２０００mmに設定したものである。そして、第１参考例の設計モデルでは、前記実施形態の図４に示すように、縦リブ４のフランジ４Ｂ，４Ｂ同士が連結されず、かつ縦リブ４のフランジ４Ｂと横リブ３のウェブ３Ａも連結されていない。なお、第１参考例の設計モデルは、前述したような望ましい各部寸法や設計仕様の範囲からは逸脱するものの、本発明の技術範囲に含まれる形態である。
【００３８】
以上の第１、第２実施例および第１参考例について、応力解析を実施した結果として、縦リブＭ４と横リブＭ３との溶接部Ｗ１（図３参照）に発生する応力を図１３に示す。図１３において、縦軸は、デッキプレートＭ５からの高さ位置であり、横軸は、溶接部Ｗ１の発生応力である。また、図１３において、第１参考例（横リブ間隔２０００mm）の結果を黒塗り三角印（▲）で示し、第１実施例（横リブ間隔３０００mm）の結果を黒塗り四角印（■）で示し、第２実施例（横リブ間隔４０００mm）の結果を黒塗り菱形印（◆）で示す。
この図１３から、第１参考例では、溶接部Ｗ１における発生応力が全高さ区間で３kgf/mm2 を超え、デッキプレートＭ５から略１００mmの区間では、４kgf/mm2 を超えていることが解る。また、第１実施例では、溶接部Ｗ１における発生応力が全高さ区間で第１参考例よりも小さく、デッキプレートＭ５から５０mm程度の区間で４kgf/mm2 を超えているものの、それ以外の区間では、４kgf/mm2 以下に収まっていることが解る。さらに、第２実施例では、溶接部Ｗ１における発生応力が全高さ区間で第１参考例よりも小さく、かつ全区間で４kgf/mm2 以下に収まっていることが解る。また、図示を省略するが、第３〜第５実施例のように、縦リブ４のフランジ４Ｂ，４Ｂ同士や、縦リブ４のフランジ４Ｂと横リブ３のウェブ３Ａとを連結すれば、溶接部Ｗ１における発生応力が第１、第２実施例よりもさらに減少することは自明である。以上のことから、本発明の実施例では、溶接部Ｗ１の発生応力が概ね４kgf/mm2以下となり、前記設計仕様が満足できる。
【００３９】
また、第１〜第５実施例および第１比較例、第１参考例について、鋼床版Ｍ１の床面積１m2当たりの溶接箇所数と溶接量とを比較したところ、第１実施例の設計モデル（横リブ間隔３０００mm）では、第１比較例と比較して溶接箇所数が５６％程度に減少し、溶接量がほぼ同一となり、第１参考例と比較して溶接箇所数が３５％程度に減少し、溶接量が５８％程度に減少することが解った。また、第２〜第５実施例の設計モデル（横リブ間隔４０００mm）では、第１比較例と比較して溶接箇所数が４４％程度に減少し、溶接量が９６％程度に減少し、第１参考例と比較して溶接箇所数が２７％程度に減少し、溶接量が５６％程度に減少することが解った。また、各部材の重量を積算した床面積１m2当たりの鋼材量については、第１〜第５実施例の設計モデルの方が第１比較例や第１参考例よりも若干だけ増加するものの差は僅かであり、溶接箇所数および溶接量の減少による加工工数の低減効果が大きいことが判明した。
【００４０】
次に、前記第１、第２実施例の設計モデルに基づき、縦リブＭ４の高さ寸法Ｈと、横リブＭ３の間隔寸法Ｌ２との相関を検証した結果を図１４に示す。図１４において、縦軸は、縦リブＭ４の高さ寸法Ｈであり、横軸は、横リブＭ３の間隔寸法Ｌ２である。この検証においては、前記第１、第２実施例の場合と発生応力が同程度になる縦リブＭ４の高さ寸法Ｈと横リブＭ３の間隔寸法Ｌ２とを算出した。また、フランジ４Ｂを有した縦リブＭ４（図１４中、黒塗り菱形印（◆）で示す）との比較のために、フランジを有さない板リブ（図１４中、黒塗り四角印（■）で示す）を縦リブＭ４として用いたモデルも併せて検証した。
【００４１】
この図１４から、横リブＭ３の間隔寸法Ｌ２を例えば３０００mmとするためには、板リブを用いた場合には、その高さ寸法Ｈが５００mm以上必要になり、本実施例の縦リブＭ４では、その高さ寸法Ｈが３４０mmで収まることが解る。さらに、縦リブＭ４として板リブを用いた場合には、その自由端の突出長制限により高さ寸法Ｈが６００mm以上にできず、このため横リブＭ３の間隔寸法Ｌ２としては３５００mm程度が限界になる。これに対して、本実施例の縦リブＭ４では、その高さ寸法Ｈを６８０mm程度まで大きくすることで、横リブＭ３の間隔寸法Ｌ２を５０００mmに拡げることが可能になる。そして、前記実施形態でも説明したように、本発明では、縦リブの高さ寸法Ｈの設定自由度が高く、組立性を阻害することなく容易に高さ寸法Ｈが大きくできることから、疲労性能を確保しかつ製造コストを抑制しつつ横リブＭ３の間隔寸法Ｌ２の拡大が実現できることが判明した。
【００４２】
次に、本実施例の設計モデルに基づき、横リブの寸法と発生応力との関係を検討した結果を図１５に示す。
ここで、設計において、縦リブの高さ寸法Ｈは、横リブ間隔Ｌ２から決定されることとなるが、一方、仮に横リブの高さ寸法を一定とした場合に、縦リブの高さ寸法Ｈが大きいと、横リブに設けられる切り欠きが大きくなるために、横リブの有効断面積が低下し、横リブとデッキプレートとの溶接部での発生応力が大きくなる傾向がある。
そこで、本検討では、横リブ間隔Ｌ２が４ｍのモデル（縦リブの高さ寸法がＨ＝５００mm）について、横リブの高さと、そのウェブの板厚とを変化させて、その発生応力への影響を比較した。図１５において、縦軸はＦＥＭから得られる局部応力であり、従来の平均応力での表現とは異なる。図１５より、評価部位（横リブとデッキプレートとの溶接部の端部）での発生応力は、横リブのウェブ板厚が大きくなるほど、また、横リブ高さ寸法が高くなるほど低下することが解る。そして、図１５の縦軸は局部応力であるので、この数値のみで疲労強度が十分かどうかを判定することはできないが、例えば従来構造のバルブプレートと同程度であれば、疲労性能上ほぼ問題ないと考えられる。従って、横リブの高さ寸法や板厚は、バルブプレートリブの場合と同レベルの発生応力となるような仕様とすればよい。
【００４３】
なお、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４４】
【図１】本発明の実施形態に係る鋼床版を用いた道路橋を示す斜視図である。
【図２】前記鋼床版の横リブおよび縦リブの組立前の状態を示す斜視図である。
【図３】前記横リブおよび縦リブを一体化した状態を示す斜視図である。
【図４】前記鋼床版を縦リブの側方から見た断面図である。
【図５】前記実施形態における鋼床版の変形例を示す断面図である。
【図６】前記実施形態における鋼床版の変形例を示す断面図である。
【図７】前記実施形態における鋼床版の変形例を示す断面図である。
【図８】前記実施形態における鋼床版の変形例を示す断面図である。
【図９】前記実施形態における鋼床版の変形例を示す断面図である。
【図１０】本発明の実施例に係る鋼床版の設計モデルを示す斜視図である。
【図１１】本発明の実施例に係る鋼床版の設計モデルを示す斜視図である。
【図１２】本発明の実施例に係る鋼床版の設計モデルを示す斜視図である。
【図１３】本発明の実施例における発生応力を示すグラフである。
【図１４】本発明の実施例における縦リブ高さ寸法と横リブ間隔寸法との相関を示すグラフである。
【図１５】本発明の実施例における横リブの寸法と発生応力との関係を示すグラフである。
【符号の説明】
【００４５】
１…鋼床版、２…主桁、３…横リブ、３Ａ…ウェブ、３Ｂ…フランジ、３Ｃ…切り欠き、３Ｄ…スカラップ、４…縦リブ、４Ａ…ウェブ、４Ｂ…フランジ、４Ｃ…切欠部、５…デッキプレート、６Ａ〜６Ｃ…添え板、７Ａ…ボルト、７Ｂ…ナット、Ｈ…縦リブの高さ寸法、Ｌ１…縦リブの間隔寸法、Ｌ２…横リブの間隔寸法、Ｔ…板厚寸法、Ｗ１，Ｗ２，Ｗ３…溶接部。
【図１】
2008280753.tif 000003
【図２】
2008280753.tif 000004
【図３】
2008280753.tif 000005
【図４】
2008280753.tif 000006
【図５】
2008280753.tif 000007
【図６】
2008280753.tif 000008
【図７】
2008280753.tif 000009
【図８】
2008280753.tif 000010
【図９】
2008280753.tif 000011
【図１０】
2008280753.tif 000012
【図１１】
2008280753.tif 000013
【図１２】
2008280753.tif 000014
【図１３】
2008280753.tif 000015
【図１４】
2008280753.tif 000016
【図１５】
2008280753.tif 000017